(57)【特許請求の範囲】
【請求項１】
保守対象装置での障害の発生に基づく警報を受信し、送信の可否を判定する保守承認装置の判定結果を前記警報の送信において用いるか否かを前記警報の保守実施装置への送信の方針である保守方針に基づいて判定し、用いる場合、前記保守承認装置に前記警報を送信した後、前記警報の判定結果を前記保守承認装置から受信し、前記警報の判定結果に応じて前記警報の前記保守実施装置への送信可否を制御する保守方針制御手段と、
前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する保守命令制御手段と、
前記保守実施装置に接続するインターフェースとして機能する保守接続手段と、
前記保守方針制御手段から指示を受信して前記保守接続手段の起動及び停止を制御する接続制御手段と
を含み、さらに、
前記保守方針制御手段が、
前記警報を受信する警報受信手段と、
前記保守方針を保存する保守方針保存手段と、
前記接続制御手段に前記指示を送信する接続指示手段と、
前記警報受信手段から前記警報を受信し、前記保守方針保存手段から読み出される前記保守方針を基に、前記保守承認装置に前記警報を送信するか否かの判定と、前記接続指示手段における前記指示の命令と、前記警報の前記保守実施装置への送信とを制御する保守方針判定手段と
を含む保守管理装置。
【請求項２】
前記保守命令制御手段が、
前記保守命令を受信する保守命令受信手段と、
前記保守命令判定情報を保存する保守命令保存手段と、
前記保守命令を送信する保守命令送信手段と、
前記保守命令受信手段から前記保守命令を受信し、前記保守方針保存手段から読み出される前記保守命令判定情報を基に、前記保守承認装置に前記保守命令を送信するか否かの判定と、前記保守命令の前記保守承認装置への送信と、前記保守命令の前記保守命令送信手段への送信とを実行する保守命令判定手段と
を含む請求項１に記載の保守管理装置。
【請求項３】
前記保守命令制御手段が、
前記保守命令に対応する結果である保守結果を受信し、前記保守結果の送信に前記保守承認装置の判定結果を用いるか否かを判定し、用いる場合、前記保守結果を前記保守承認装置に送信し、前記保守承認装置から前記保守結果の判定結果を受信し、前保守結果の判定結果を基に前記保守結果を送信する
請求項１又は請求項２に記載の保守管理装置。
【請求項４】
保守の対象である障害の発生に基づく警報を送信する保守対象装置と、
保守を実施するための保守命令を送信する保守実施装置と、
受信した情報の送信の可否の判定結果を送信する保守承認装置と、
前記警報を受信し、前記保守承認装置の判定結果を前記警報の送信において用いるか否かを前記警報の前記保守実施装置への送信の方針である保守方針に基づいて判定し、用いる場合、前記保守承認装置に前記警報を送信した後、前記警報の判定結果を前記保守承認装置から受信し、前記警報の判定結果に応じて前記警報の前記保守実施装置への送信可否を制御する保守方針制御手段と、
前記警報に対し、前記保守対象装置への保守に用いる前記保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する保守命令制御手段と、
前記保守実施装置に接続するインターフェースとして機能する保守接続手段と、
前記保守方針制御手段から指示を受信して前記保守接続手段の起動及び停止を制御する接続制御手段とを含み、さらに、
前記保守方針制御手段が、
前記警報を受信する警報受信手段と、
前記保守方針を保存する保守方針保存手段と、
前記接続制御手段に前記指示を送信する接続指示手段と、
前記警報受信手段から前記警報を受信し、前記保守方針保存手段から読み出される前記保守方針を基に、前記保守承認装置に前記警報を送信するか否かの判定と、前記接続指示手段における前記指示の命令と、前記警報の前記保守実施装置への送信とを制御する保守方針判定手段と
を含む保守管理装置と
を含む保守システム。
【請求項５】
保守対象装置での障害の発生に基づく警報を受信し、送信の可否を判定する保守承認装置の判定結果を前記警報の送信において用いるか否かを前記警報の保守実施装置への送信の方針である保守方針に基づいて判定し、用いる場合、前記保守承認装置に前記警報を送信した後、前記警報の判定結果を前記保守承認装置から受信し、前記警報の判定結果に応じて前記警報の前記保守実施装置への送信可否を制御し、
前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御し、さらに、
前記保守実施装置に接続するインターフェースとして機能の指示を受信して前記インターフェースとしての機能の起動及び停止を制御し、さらに、
前記保守方針を保存し、
前記指示を前記インターフェースとしての機能に送信し、
前記保守方針を基に、前記保守承認装置に前記警報を送信するか否かの判定と、前記指示の命令と、前記警報の前記保守実施装置への送信とを制御する
保守方法。
【請求項６】
保守対象装置での障害の発生に基づく警報を受信し、送信の可否を判定する保守承認装置の判定結果を、前記警報の送信において用いるか否かを前記警報の保守実施装置への送信の方針である保守方針に基づいて判定し、用いる場合、前記保守承認装置に前記警報を送信した後、前記警報の判定結果を前記保守承認装置から受信し、前記警報の判定結果に応じて前記警報の前記保守実施装置への送信可否を制御する処理と、
前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する処理と、
前記保守実施装置に接続するインターフェースとして機能の指示を受信して前記インターフェースとしての機能の起動及び停止を制御する処理と、
前記保守方針を保存する処理と、
前記指示を前記インターフェースとしての機能に送信する処理と、
前記保守方針を基に、前記保守承認装置に前記警報を送信するか否かの判定と、前記指示の命令と、前記警報の前記保守実施装置への送信とを制御する処理と
をコンピュータに実行させるプログラム。
【発明の詳細な説明】
【技術分野】
【０００１】
本発明は、情報処理システムの保守に関し、特に、保守を実施する装置の制御に関する。
【背景技術】
【０００２】
情報処理システムに含まれる情報処理装置や記憶装置に障害が発生した場合、情報処理システムの動作を継続するため、障害を発生した装置の障害の確認や修理などの保守が必要である。保守作業において、保守員は、情報処理システムの基盤となる装置や重要なデータを操作する場合がある。このような操作において、保守員が、間違えた操作や不正な操作を行うと、情報処理システムの安全性が損なわれる。そこで、情報処理システムを守るため、保守員が実行できる操作内容の制限が、適用されている。（例えば、特許文献１参照）
また、情報処理システムの情報処理装置は、ネットワークを介して接続した情報処理装置と情報をやり取りする。情報処理装置は、このような情報のやり取りを用いて、他の装置を制御できる。（例えば、特許文献２参照）
そこで、保守においても保守対象の装置を直接操作する保守に限らず、ネットワークやケーブルを介して接続した保守装置を用いた保守が実施されている。（例えば、特許文献３参照）
このような保守は、例えば、次のように行われる。
【０００３】
図１２は、一般的な保守システム９１の構成を示すブロック図である。
【０００４】
保守システム９１は、保守管理装置９１１と、保守対象装置９１２と、保守実施装置９１３とを含む。保守システム９１の各装置は、ネットワークを介して接続している。
【０００５】
保守対象装置９１２は、保守の対象となる装置である。
【０００６】
保守実施装置９１３は、保守のための命令（コマンド）を送信して保守を実施する装置である。
【０００７】
保守管理装置９１１は、保守対象装置９１２と保守実施装置９１３とを仲介して保守の動作を管理する。そのため、保守管理装置９１１は、保守対象装置９１２と接続するための対象インターフェース（Interface、以下、「ＩＦ」と言う）部９１４と、保守実施装置９１３と接続するための保守ＩＦ部９１５とを含む。なお、一般的に、保守管理装置９１１は、消費電力削減や不正なアクセスを防ぐため、保守を実施しない場合、保守ＩＦ部９１５を停止（例えば、電力の供給を停止）する。
【０００８】
保守対象装置９１２で障害が発生した場合、保守システム９１の各装置は、次のように動作する。
【０００９】
保守対象装置９１２は、障害を発生すると、警報（アラート）を保守管理装置９１１に送信する。
【００１０】
対象ＩＦ部９１４を介して保守対象装置９１２から障害の警報を受信すると、保守管理装置９１１は、保守ＩＦ部９１５を起動（例えば、電力を供給）する。そして、保守管理装置９１１は、保守対象装置９１２から受信した警報を保守実施装置９１３に送信する。警報を受信した保守実施装置９１３は、保守管理装置９１１の保守ＩＦ部９１５と対象ＩＦ部９１４とを介して、保守対象装置９１２に保守のための命令を送り、保守を実施する。
【先行技術文献】
【特許文献】
【００１１】
【特許文献１】特開平０５−１５３２３７
【特許文献２】特開２０１１−１９３６５９
【特許文献３】特開平０４−３５８２４８
【発明の概要】
【発明が解決しようとする課題】
【００１２】
保守対象装置を不正な操作から守るためには、保守管理装置は、保守対象装置への操作内容（保守命令）を判断する必要がある。
【００１３】
しかし、保守の対象となる装置（保守対象装置）は、常に情報を処理するため、データの保存位置やデータの内容が常に変化する。また、保守対象装置は、周辺装置の増設や入れ替えが行われ、管理用のデータの位置が変化する。
【００１４】
しかし、特許文献１に記載のプログラム蓄積型構内交換機は、メモリ位置に基づきセキュリティレベルを設定するものである。そのため、特許文献１に記載のプログラム蓄積型構内交換機は、データの位置が固定でない保守対象装置に対応できないという問題点があった。
【００１５】
また、特許文献２に記載の公衆電源システムは、コンセントの近傍の設置された遠隔操作防止装置が情報を受信したときにコンセントを利用可能とするものである。そのため、特許文献２に記載の公衆電源システムは、保守対象装置と保守管理装置とが常に近傍にあるという位置関係の変更に対応できないという問題点があった。
【００１６】
さらに、特許文献３に記載の保守診断装置は、送られるデータと、予め記憶した機密データとを比較して、一致した場合に送信を停止して機密保護するものである。そのため、特許文献３に記載の保守診断装置は、予め、保守対象装置と保守実施装置との間でやり取りされる全データに対する比較データを記憶することが必要である。つまり、特許文献３に記載の保守診断装置は、予め、発生する障害に対して保守対象装置と保守実施装置とで送信及び受信される全てのデータに対応する機密データを作成して記憶する必要がある。
【００１７】
しかし、近年、情報処理システムは、多くの情報処理装置を含み、保守内容も多く、頻繁に修正されている。つまり、保守において比較するための機密データは、非常に大きな量となる。そのため、特許文献３に記載の保守診断装置は、多くの機密データを作成し、保存することが必要であるという問題点があった。また、特許文献３に記載の保守診断装置は、保守内容に変更に伴い、常に機密データの修正が必要であるという問題点があった。
【００１８】
本発明の目的は、上記問題点を解決し、データの記憶位置及び装置の接続位置に基づかず、全ての送信データに対応した判定のためのデータを用意せずに、保守実施装置からの不正な保守を処理しない保守管理装置、保守システム、及び、保守方法を提供することにある。
【課題を解決するための手段】
【００１９】
本発明の保守管理装置は、保守対象装置での障害の発生に基づく警報を受信し、前記警報の保守実施装置への送信の方針である保守方針に基づいて、送信の可否を判定する保守承認装置の判定結果を、前記警報の送信において用いるか否かを判定し、用いる場合、前記保守承認装置に前記警報を送信した後、前記警報の判定結果を前記保守承認装置から受信し、前記警報の判定結果に応じて前記警報の前記保守実施装置への送信可否を制御する保守方針制御手段と、前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する保守命令制御手段とを含む。
【００２０】
本発明の保守システムは、保守の対象である障害の発生に基づく警報を送信する保守対象装置と、保守を実施するための保守命令を送信する保守実施装置と、受信した情報の送信の可否の判定結果を送信する保守承認装置と、前記警報を受信し、前記警報の前記保守実施装置への送信の方針である保守方針に基づいて、前記保守承認装置の判定結果を、前記警報の送信において用いるか否かを判定し、用いる場合、前記保守承認装置に前記警報を送信した後、前記警報の判定結果を前記保守承認装置から受信し、前記警報の判定結果に応じて前記警報の前記保守実施装置への送信可否を制御する保守方針制御手段と、前記警報に対し、前記保守対象装置への保守に用いる前記保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する保守命令制御手段とを含む保守管理装置とを含む。
【００２１】
本発明の保守方法は、保守対象装置での障害の発生に基づく警報を受信し、前記警報の保守実施装置への送信の方針である保守方針に基づいて、送信の可否を判定する保守承認装置の判定結果を、前記警報の送信において用いるか否かを判定し、用いる場合、前記保守承認装置に前記警報を送信した後、前記警報の判定結果を前記保守承認装置から受信し、前記警報の判定結果に応じて前記警報の前記保守実施装置への送信可否を制御し、前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する。
【００２２】
本発明のプログラムは、保守対象装置での障害の発生に基づく警報を受信し、前記警報の保守実施装置への送信の方針である保守方針に基づいて、送信の可否を判定する保守承認装置の判定結果を、前記警報の送信において用いるか否かを判定し、用いる場合、前記保守承認装置に前記警報を送信した後、前記警報の判定結果を前記保守承認装置から受信し、前記警報の判定結果に応じて前記警報の前記保守実施装置への送信可否を制御する処理と、前記警報に対し、前記保守対象装置への保守に用いる保守命令を前記保守実施装置から受信し、前記保守命令の送信の可否を判定する保守命令判定情報を基に、前記保守承認装置の判定結果を、前記保守命令の前記保守対象装置への送信において用いるか否かを判定し、用いる場合、前記保守承認装置に前記保守命令を送信した後、前記保守命令の判定結果を前記保守承認装置から受信し、前記保守命令の判定結果に応じて前記保守命令の前記保守対象装置への送信可否を制御する処理とをコンピュータに実行させる。
【発明の効果】
【００２３】
本発明によれば、データの記憶位置及び装置の接続位置、並びに、全ての送信データに対応した判定データを用意しなくても、保守実施装置からの保守内容の可否を判定することができる。
【図面の簡単な説明】
【００２４】
【図１】図１は、本発明における第１の実施形態に係る保守システムの構成の一例を示すブロック図である。
【図２】図２は、第１の実施形態に係る保守管理装置の構成の一例を示すブロック図である。
【図３】図３は、第１の実施形態に係る保守方針制御部の構成の一例を示すブロック図である。
【図４】図４は、第１の実施形態に係る接続制御部の構成の一例を示すブロック図である。
【図５】図５は、第１の実施形態に係る保守命令制御部の構成の一例を示すブロック図である。
【図６】図６は、第１の実施形態に係る保守システムの動作の一例を示すシーケンス図である。
【図７】図７は、第１の実施形態に係る保守管理装置の動作の一例を示すフローチャートである。
【図８】図８は、第１の実施形態に係る保守管理装置の動作の一例を示すフローチャートである。
【図９】図９は、第１の実施形態に係る保守管理装置の動作の一例を示すフローチャートである。
【図１０】図１０は、第１の実施形態に係る保守管理装置の別の構成の一例を示すブロック図である。
【図１１】図１１は、第１の実施形態に係る保守管理装置の別の構成の一例を示すブロック図である。
【図１２】図１２は、一般的な保守システムの構成を示すブロック図である。
【発明を実施するための形態】
【００２５】
次に、本発明の実施形態について図面を参照して説明する。
【００２６】
（第１の実施形態）
図１は、本発明における第１の実施形態に係る保守システム１の構成の一例を示すブロック図である。
【００２７】
保守システム１は、保守管理装置１０と、保守対象装置２０と、保守実施装置３０と、保守承認装置４０とを含み、保守実施装置３０から保守対象装置２０への保守を実現する。
【００２８】
保守管理装置１０は、保守実施装置３０が実施する保守対象装置２０への保守を管理する。より具体的には、保守管理装置１０は、次に示す送信の可否の少なくとも１つを判定する。
【００２９】
（１）保守対象装置２０が障害を検出したことを示す警報（アラート）の保守実施装置３０への送信の可否
（２）保守実施装置３０が発行した保守命令の保守対象装置２０への送信の可否
（３）保守対象装置２０の保守命令の実施結果である保守結果の保守実施装置３０への送信の可否
保守管理装置１０は、これら全てを判定しても良く、いずれか１つ又は２つを判定しても良い。保守管理装置１０は、これらの判定において、保守承認装置４０の判定を用いる。さらに、保守管理装置１０は、これらの判定において、全てに保守承認装置４０の判定を用いても良い。あるいは、保守管理装置１０は、１つ又は２つの判定に保守承認装置４０の判定を用い、他の送信については自装置で判定しても良い。
【００３０】
さらに、保守管理装置１０は、保守実施装置３０との接続についても管理する。
【００３１】
保守対象装置２０は、障害の発生時に、保守実施装置３０の保守の対象となる装置である。保守対象装置２０は、障害を検出すると、保守管理装置１０に警報を送信する。また、保守対象装置２０は、保守管理装置１０を介して、保守実施装置３０から保守のための命令（保守命令）を受信すると、保守命令を実行する。そして、保守対象装置２０は、保守命令の結果（保守結果）を、保守管理装置１０を介して、保守実施装置３０に返す。なお、保守対象装置２０は、保守システム１に含まれる情報を処理するサーバやクライアント装置である。又は、保守対象装置２０は、保守システム１に含まれる記憶装置や入出力装置でも良い。そのため、保守対象装置２０の詳細な説明は、省略する。
【００３２】
保守実施装置３０は、保守管理装置１０を介して、保守対象装置２０の保守を実施する装置である。保守実施装置３０は、保守対象装置２０の警報を受信すると、保守命令を保守対象装置２０に送信する。そして、保守実施装置３０は、保守対象装置２０から受信した保守結果を判定し、必要に応じて次の保守（例えば、次の保守命令の送信）を実施する。保守実施装置３０は、一般的な情報処理システムの保守装置で良い。そのため、保守実施装置３０の詳細な説明は、省略する。
【００３３】
保守承認装置４０は、保守管理装置１０から判定対象の情報（警報、保守命令、及び、保守結果）を受信し、保守管理装置１０における情報の送信の可否を判定し、判定の結果（以下、「判定結果」と言う）を保守管理装置１０に送信する。
【００３４】
本実施形態の保守承認装置４０の構成は、各判定対象の情報を判定できれば特に制限はない。
【００３５】
例えば、保守承認装置４０は、データベースとデータマイニング機能とを備えた意思決定支援システムやエキスパートシステムでも良い。
【００３６】
あるいは、保守承認装置４０は、保守対象装置２０が含まれる情報処理システムの管理者が操作するシステム管理端末装置でもよい。保守承認装置４０がシステム管理端末装置の場合、保守承認装置４０は、例えば、次のように動作する。（一例として、保守命令の場合について説明する。）
保守承認装置４０は、保守管理装置１０から保守命令を受信し、ディスプレイに保守命令を表示する。そして、保守承認装置４０は、保守命令を確認した管理者の判定結果を、キーボード又はマウスを用いて受信する。保守承認装置４０は、受信した管理者の判定結果を保守管理装置１０に送信する。
【００３７】
また、本実施形態に保守承認装置４０は、１つの装置で構成する必要はない。判定対象の情報（警報など）を受信する装置が、判定結果を送信する保守承認装置４０と別装置でもよい。例えば、保守員の携帯端末装置が、警報を受信し、表示する。表示された警報を確認した保守員の判定結果をキーボードから受信した保守承認装置４０が、判定結果を送信しても良い。あるいは、保守承認装置４０は、情報（警報、保守命令、又は、保守結果）毎に、それぞれを判定する別装置で構成されてもよい。
【００３８】
このように、本実施形態の保守承認装置４０は、送信の可否の判定結果を保守管理装置１０に送信できれば、装置及び構成に、特に制限はない。そのため、保守承認装置４０についての詳細な説明は、省略する。
【００３９】
なお、図１に示す本実施形態の各装置を接続する接続経路（ネットワーク）は、特に制限はない。例えば、本実施形態の接続経路は、ＬＡＮ（Local Area Network）でも良く、ＷＡＮ（Wide Area Network）やインターネットでもよい。あるいは、接続経路は、物理的には複数のネットワークから構成される仮想的なネットワーク（Ｖ−ＬＡＮ：Virtual-LAN）でもよい。また、１つのオフィス（事務室）に設けられたネットワークで構成された保守システム１の場合、保守管理装置１０、保守対象装置２０、保守承認装置４０、及び、保守実施装置３０は、同じＬＡＮに接続されてもよい。さらに、ブレードサーバのように、保守管理装置１０、保守対象装置２０、保守承認装置４０、及び、保守実施装置３０は、同一の筐体に含まれても良い。つまり、本実施形態の保守システム１は、各装置の設置の位置、各装置に物理的な距離には、特に制限はない。例えば、保守システム１の保守実施装置３０は、遠隔で保守対象装置２０を保守してもよく、近接で保守してもよい。
【００４０】
そのため、接続経路についての詳細な説明は省略する。
【００４１】
次に、保守管理装置１０について、図面を参照して詳細に説明する。
【００４２】
図２は、保守管理装置１０の構成の一例を示すブロック図である。
【００４３】
保守管理装置１０は、保守方針制御部１１０と、保守命令制御部１２０と、接続制御部１３０と、対象ＩＦ部１４０と、保守ＩＦ部１５０と、承認ＩＦ部１６０とを含む。
【００４４】
保守方針制御部１１０は、予め保守対象装置２０の利用者、又は、システムの管理者などが設定した警報の送信に関する保守方針（保守ポリシー）を保存する。
【００４５】
ここで、保守方針は、次のような方針を含む。
【００４６】
（１）警報の送信の可否の判定についての方針、つまり、送信の可否を判定するか否か、及び、判定する場合の判定装置についての方針。
【００４７】
（２）保守ＩＦ部１５０の起動及び停止についての方針、つまり、保守ＩＦ部１５０の起動のタイミング（条件）、及び、停止のタイミング（条件）についての方針。
【００４８】
保守方針制御部１１０は、保守方針を基に、警報の送信及び保守ＩＦ部１５０を制御する。
【００４９】
まず、保守方針制御部１１０は、保守対象装置２０から警報を受信すると、保守方針を基に、警報に対応する動作を制御する。
【００５０】
具体的には、保守方針制御部１１０は、次のように動作する。
【００５１】
保守方針が、警報の送信において保守承認装置４０の判定結果を必要とする場合、保守方針制御部１１０は、次のように動作する。
【００５２】
保守方針制御部１１０は、警報を受信すると、保守方針を確認する。保守方針が、保守承認装置４０の判定結果を用いるため、保守方針制御部１１０は、警報を保守承認装置４０に送信する。そして、保守承認装置４０から警報の判定結果を受信する。判定結果が送信可の場合、保守方針制御部１１０は、警報を保守実施装置３０に送信する。判定結果が送信不可の場合、保守方針制御部１１０は、警報を送信しない。
【００５３】
保守方針が、警報の送信において保守承認装置４０の判定結果不要の場合、保守方針制御部１１０は、次のように動作する。
【００５４】
保守方針制御部１１０は、警報を受信すると、保守方針を確認する。保守方針が、保守承認装置４０の判定結果が不要のため、保守方針制御部１１０は、警報を保守実施装置３０に送信する。
【００５５】
なお、保守方針に保守管理装置１０での判定条件が含まれる場合、保守方針制御部１１０は、上記の動作の結果として送信可の場合、さらに、判定条件を基に送信の可否を判定する。そして、保守方針制御部１１０は、送信可の場合に、警報を保守実施装置３０に送信する。
【００５６】
また、保守方針制御部１１０は、保守方針に基づいて、接続制御部１３０を用いて保守実施装置３０との接続を中継する保守ＩＦ部１５０の起動及び停止（例えば、通電の開始と終了）を制御する。
【００５７】
具体的には、保守方針制御部１１０は、次のように動作する。
【００５８】
保守方針が、警報の送信可ならば保守ＩＦ部１５０を起動する場合、保守方針制御部１１０は、警報の送信の可否を判定して送信可の場合、接続制御部１３０に指示を出した保守ＩＦ部１５０を起動する。
【００５９】
また、保守方針が、警報送信後の保守ＩＦ部１５０を停止する場合、保守方針制御部１１０は、次のように動作する。警報を受信すると、保守方針制御部１１０は、接続制御部１３０に指示を出して、保守ＩＦ部１５０を起動し、保守ＩＦ部１５０を介して保守実施装置３０に警報を送信する。その後、保守方針制御部１１０は、接続制御部１３０に指示を出して、保守ＩＦ部１５０を停止する。
【００６０】
なお、本実施形態において、保守方針は、特に制限がない。既に説明に用いた保守方針と重複するもののあるが、例えば、警報に関する保守方針として、次のような内容が想定できる。
【００６１】
（１）警報について
（ａ）保守承認装置４０を用いた判定
用いる  ／  用いない
（ｂ）保守管理装置１０の判定
判定する  ／  判定しない
（２）保守ＩＦ部１５０について
（ａ）起動
警報を送信する場合  ／  常に起動
（ｂ）停止
停止しない（常に起動）  ／  警報送信後停止
このように、保守方針制御部１１０は、保守方針を基に動作する。保守方針は、上記の例のように、警報ごとの情報ではない。つまり、本実施形態の保守管理装置１０は、警報ごとの判定情報を保持しなくても動作可能である。さらに、保守方針制御部１１０は、保守方針を基に、保守承認装置４０を用いた判定結果を利用できる。そのため、保守管理装置１０は、保守承認装置４０の判定結果を基に、不正な保守実施装置３０への警報の送信を防げる。
【００６２】
保守命令制御部１２０は、保守命令を判定する情報（以下、「保守命令判定情報」と言う）を基に、保守実施装置３０から受信した保守のための命令（保守命令）に対する動作を制御する。
【００６３】
ここで、保守命令判定情報は、保守命令の送信の可否、つまり、保守命令の送信の可否を判定するか否か、及び、判定する場合の判定を行う装置に関する情報を含む。
【００６４】
具体的には、保守承認装置４０は、次のように動作する。
【００６５】
保守命令判定情報が、保守承認装置４０を用いた判定結果を必要とする場合、保守命令制御部１２０は、次のように動作する。
【００６６】
保守命令を受信すると、保守命令制御部１２０は、保守命令を保守承認装置４０に送り、保守命令の判定を依頼する。判定結果が送信可の場合、保守命令制御部１２０は、保守命令を保守対象装置２０に送信する。判定結果が送信不可の場合、保守命令制御部１２０は、保守命令を送信しない。
【００６７】
保守命令判定情報が、保守承認装置４０の判定結果が不要の場合、保守命令制御部１２０は、保守命令を受信すると、保守命令を保守対象装置２０に送信する。
【００６８】
なお、保守命令判定情報に保守管理装置１０での判定条件が含まれる場合、保守命令制御部１２０は、上記の動作の結果として送信可の場合、さらに、判定条件を基に送信の可否を判定する。そして、保守命令制御部１２０は、送信可の場合に、保守命令を保守対象装置２０に送信する。
【００６９】
なお、本実施形態において、保守命令判定情報は、特に制限がない。例えば、保守命令に関する保守命令判定情報として、次のような内容が想定できる。
【００７０】
（１）保守命令について
（ａ）保守承認装置４０を用いた判定
用いる  ／  用いない
（ｂ）保守管理装置１０の判定
判定する  ／  判定しない
このように、保守命令制御部１２０は、保守命令判定情報を基に動作する。保守命令判定情報は、上記の例のように、保守命令ごとの情報ではない。つまり、本実施形態の保守管理装置１０は、保守命令ごとの保守命令判定情報を保持しなくても保守命令に対して動作可能である。さらに、保守命令制御部１２０は、保守命令判定情報を基に、保守承認装置４０を用いた判定を利用できる。そのため、保守管理装置１０は、保守承認装置４０の判定を基に、不正な保守実施装置３０からの保守命令を防げる。
【００７１】
また、保守命令制御部１２０は、保守対象装置２０から保守命令に対する保守結果を受信する。保守命令制御部１２０は、受信した保守の結果を、必要に応じ保守承認装置４０を用いた判定後、保守実施装置３０に送信する。
【００７２】
接続制御部１３０は、保守管理装置１０と保守実施装置３０とを接続する保守ＩＦ部１５０の起動及び停止を制御する。接続制御部１３０は、保守管理装置１０の起動時、保守ＩＦ部１５０を停止する。そして、接続制御部１３０は、保守方針制御部１１０の指示を基に、保守ＩＦ部１５０起動する。また、保守方針制御部１１０指示を基に、接続制御部１３０は、保守ＩＦ部１５０を停止する。接続制御部１３０は、保守ＩＦ部１５０を、電気的な起動及び停止、例えば、保守ＩＦ部１５０の電源の供給及び停止を制御しても良い。あるいは、接続制御部１３０は、機能的に、保守ＩＦ部１５０の動作を起動及び停止しても良い。
【００７３】
対象ＩＦ部１４０は、保守管理装置１０と保守対象装置２０との接続を中継する。対象ＩＦ部１４０は、保守管理装置１０と保守対象装置２０との接続経路の仕様に従って動作すればよい。そのため、対象ＩＦ部１４０の詳細な説明は省略する。なお、対象ＩＦ部１４０は、「対象接続部」と言うこともできる。
【００７４】
保守ＩＦ部１５０は、保守管理装置１０と保守実施装置３０との接続を中継する。保守ＩＦ部１５０は、接続制御部１３０の指示を基に、起動及び停止する。また、保守ＩＦ部１５０は、保守管理装置１０と保守実施装置３０との接続経路の仕様に従って動作すればよい。そのため、保守ＩＦ部１５０の詳細な説明は省略する。なお、保守ＩＦ部１５０は、「保守接続部」と言うこともできる。
【００７５】
承認ＩＦ部１６０は、保守管理装置１０と保守承認装置４０との接続を中継する。承認ＩＦ部１６０は、保守管理装置１０と保守承認装置４０との接続経路の仕様に従って動作すればよい。そのため、承認ＩＦ部１６０の詳細な説明は省略する。なお、承認ＩＦ部１６０は、「承認接続部」と言うこともできる。
【００７６】
なお、ここまでの説明において、保守方針制御部１１０が、接続制御部１３０を制御するとしたが、保守管理装置１０の構成は、これに限られない。例えば、保守命令制御部１２０が、接続制御部１３０を制御しても良い。この場合、保守命令制御部１２０は、例えば、次のように動作しても良い。
【００７７】
保守命令制御部１２０は、保守実施装置３０から保守命令を受信すると、接続制御部１３０に保守ＩＦ部１５０の停止を指示する。そして、保守命令制御部１２０は、保守対象装置２０の保守命令を送信する。保守結果を受信すると、保守命令制御部１２０は、接続制御部１３０に保守ＩＦ部１５０の起動を指示し、保守結果を保守実施装置３０に送信する。このような動作を基に、保守管理装置１０は、保守ＩＦ部１５０の動作時間を削減できる。
【００７８】
次に、保守管理装置１０の各構成の詳細について説明する。
【００７９】
まず、保守方針制御部１１０の構成について説明する。
【００８０】
図３は、保守方針制御部１１０の構成の一例を示す図である。
【００８１】
保守方針制御部１１０は、警報受信部１１１と、保守方針判定部１１２と、接続指示部１１３とを含む。
【００８２】
警報受信部１１１は、対象ＩＦ部１４０を介して、保守対象装置２０から、警告を受信し、保守方針判定部１１２に送信する。
【００８３】
保守方針判定部１１２は、保守方針を基に、警報に対する動作を制御する。より詳細に説明すると、保守方針判定部１１２は、例えば、次のように動作する。
【００８４】
保守対象装置２０から警報を受信すると、保守方針判定部１１２は、保守方針を基に、警報の送信に、保守承認装置４０の判定結果を用いるか否かを判定する。
【００８５】
判定が必要な場合、保守方針判定部１１２は、保守承認装置４０に警報を送信し、判定を依頼する。
【００８６】
送信可の判定結果の場合、保守方針判定部１１２は、接続指示部１１３を制御し、接続制御部１３０に対し保守ＩＦ部１５０の起動の指示の送信を命令する。ただし、保守方針判定部１１２は、保守方針に基づいて、この命令を行う。その後、保守方針判定部１１２は、保守ＩＦ部１５０を介して、警報を保守実施装置３０に送信する。
【００８７】
送信不可の判定結果の場合、保守方針判定部１１２は、処理を終了する。
【００８８】
また、保守方針において保守承認装置４０の判定が不要の場合、保守方針判定部１１２は、警報を保守実施装置３０に送信する。ただし、保守方針判定部１１２は、保守方針に保守ＩＦ部１５０の方針が含まれる場合、保守ＩＦ部１５０を制御する。
【００８９】
保守方針判定部１１２は、このように動作するため、保守方針保存部１１６を含む。
【００９０】
保守方針保存部１１６は、保守方針を保存する。そして、保守方針保存部１１６は、保守方針判定部１１２に指示に応じて、保守方針を保守方針判定部１１２に送信する。なお、保守方針保存部１１６は、保守を開始する前に、保守方針を保存しておけば、保存方法などに特に制限はない。例えば、保守管理装置１０が、予め、保守対象装置２０から保守方針を受信し、保守方針保存部１１６に保存しても良い。あるいは、保守システム１の管理者が、保守管理装置１０を操作して、保守方針保存部１１６に保守方針を保存しても良い。そのため、保守方針の保存についての詳細な説明は、省略する。
【００９１】
さらに、保守方針判定部１１２は、保守情報保存部１１７を含む。
【００９２】
保守情報保存部１１７は、保守方針判定部１１２が保守を制御する際に用いる情報や、制御の結果を保存する。例えば、保守情報保存部１１７は、保守方針判定部１１２の保守ＩＦ部１５０の起動及び停止の情報を保存しても良い。
【００９３】
なお、保守方針保存部１１６及び保守情報保存部１１７は、保守方針判定部１１２に含まれず、保守方針判定部１１２からアクセス可能な記憶装置に含まれても良い。
【００９４】
接続指示部１１３は、保守方針判定部１１２の指示を基に、接続制御部１３０に保守ＩＦ部１５０の起動及び停止の指示を送信する。また、接続指示部１１３は、接続制御部１３０から指示の結果を受信し、保守方針判定部１１２に返しても良い。さらに、接続指示部１１３は、保守ＩＦ部１５０への指示及び結果を保守情報保存部１１７に保存しても良い。
【００９５】
次に、接続制御部１３０の構成について説明する。
【００９６】
図４は、接続制御部１３０の構成の一例を示すブロック図である。
【００９７】
接続制御部１３０は、接続指示受信部１３１と、保守ＩＦ制御部１３２とを含む。
【００９８】
接続指示受信部１３１は、保守方針制御部１１０から、保守ＩＦ部１５０を制御する指示（命令）を受信する。接続指示受信部１３１は、受信した指示を、保守ＩＦ制御部１３２に送信する。なお、接続指示受信部１３１は、保守ＩＦ制御部１３２の動作結果を保守方針制御部１１０に返しても良い。
【００９９】
保守ＩＦ制御部１３２は、受信した指示を基に、保守ＩＦ部１５０の起動／停止を制御する。
【０１００】
続いて保守命令制御部１２０の構成について説明する。
【０１０１】
図５は、保守命令制御部１２０の構成の一例を示すブロック図である。
【０１０２】
保守命令制御部１２０は、保守命令受信部１２１と、保守命令判定部１２２と、保守命令送信部１２３と、命令結果処理部１２４とを含む。
【０１０３】
保守命令受信部１２１は、保守ＩＦ部１５０を介して、保守実施装置３０から保守命令を受信する。保守命令受信部１２１は、受信した保守命令を保守命令判定部１２２に送信する。
【０１０４】
保守命令判定部１２２は、保守命令判定情報を基に、送信の可否の判定に保守承認装置４０を用いるか否かを判定する。保守承認装置４０を用いる場合、保守命令判定部１２２は、保守命令を保守承認装置４０に送る。そして、判定結果として送信可を受信した場合、保守命令判定部１２２は、保守命令を保守命令送信部１２３に送信する。
【０１０５】
このように動作するため、保守命令判定部１２２は、保守命令判定情報を保存する保守命令保存部１２６を含む。なお、保守命令保存部１２６は、保守命令判定部１２２に含まれず、保守命令判定部１２２の外部に設けられた記憶装置に含まれても良い。
【０１０６】
保守命令送信部１２３は、保守命令を受信すると、対象ＩＦ部１４０を介して、保守命令を保守対象装置２０に送信する。
【０１０７】
命令結果処理部１２４は、対象ＩＦ部１４０を介して、保守対象装置２０から保守命令を実行した結果である保守結果を受信する。命令結果処理部１２４は、保守ＩＦ部１５０を介して、保守結果を保守実施装置３０に送信する。なお、命令結果処理部１２４は、保守結果を送信する前に、所定の条件（以下、「保守結果送信条件」と言う）を基に、保守結果の送信の可否を判定しても良い。さらに、命令結果処理部１２４は、この判定に保守承認装置４０を用いてもよい。
【０１０８】
なお、命令結果処理部１２４が、保守結果送信条件を含んでも良い。しかし、保守命令判定情報が含む保守命令を保守対象装置２０に送信する条件と、保守結果送信条件とは、同様の場合が多い。そのため、命令結果処理部１２４は、保守命令判定情報を保守結果送信条件として用いても良い。この場合、命令結果処理部１２４は、保守命令保存部１２６の保守命令判定情報を用いて、保守結果の送信の動作を制御する。
【０１０９】
続いて、保守管理装置１０の動作について図面を参照して説明する。
【０１１０】
保守管理装置１０は、保存している保守方針及び保守命令判定情報に基づいて、警報や保守命令の送信の可否を判断して、警報や保守命令を送信する。そこで、保守管理装置１０が、各送信の前に保守承認装置４０の判定結果を受信してから送信する場合の動作の概要を説明する。
【０１１１】
なお、保守管理装置１０の対象ＩＦ部１４０、保守ＩＦ部１５０、及び、承認ＩＦ部１６０は、情報を中継する構成のため、以下の動作の説明において、説明及び図面への記載を適宜省略する。
【０１１２】
図６は、保守システム１の動作の概要を示すシーケンス図である。
【０１１３】
保守対象装置２０は、障害を検出する（１００１）と、警報を保守管理装置１０に送信する（１００２）。
【０１１４】
警報を受信した保守管理装置１０は、警報を保守承認装置４０に送信する（１００３）。
【０１１５】
警報を受信した保守承認装置４０は、警報の内容を判定し、判定結果を保守管理装置１０に返す（１００４）。
【０１１６】
保守管理装置１０は、判定結果を確認する（１００５）。
【０１１７】
判定結果が送信不可の場合（１００５でNO）、保守管理装置１０は、動作を終了する（１０２１）。なお、この場合、保守管理装置１０は、保守対象装置２０に警報に対する保守ができないことを通知しても良い。
【０１１８】
判定結果が送信可の場合（１００５でYES）、保守管理装置１０は、警報を保守実施装置３０に送信する（１００６）。
【０１１９】
警報を受信した保守実施装置３０は、保守命令を保守管理装置１０に送信する（１００７）。
【０１２０】
保守命令を受信した保守管理装置１０は、保守命令を保守承認装置４０に送信する（１００８）。
【０１２１】
保守命令を受信した保守承認装置４０は、保守命令を判定し、判定結果を保守管理装置１０に返す（１００９）。
【０１２２】
保守管理装置１０は、判定結果を確認する（１０１０）。
【０１２３】
判定結果が送信不可の場合（１０１０でNO）、保守管理装置１０は、保守命令を保守対象装置２０に送らず、処理を終了する（１０２２）。なお、この場合、保守管理装置１０は、保守実施装置３０に保守命令が実行できないことを通知しても良い。
【０１２４】
判定結果が送信可の場合（１０１０でYES）、保守管理装置１０は、保守命令を保守対象装置２０に送信する（１０１１）。
【０１２５】
保守命令を受信した保守対象装置２０は、保守命令を実行し、保守結果を保守管理装置１０に返す（１０１２）。
【０１２６】
保守結果を受信した保守管理装置１０は、保守結果を保守承認装置４０に送信する（１０１３）。
【０１２７】
保守結果を受信した保守承認装置４０は、保守結果を判定し、判定結果を保守管理装置１０に返す（１０１４）。
【０１２８】
保守管理装置１０は、判定結果を判定する（１０１５）。
【０１２９】
判定結果が送信不可の場合（１０１５でNO）、保守管理装置１０は、保守結果を送信しないで、終了する（１０２３）。なお、この場合、保守管理装置１０は、保守実施装置３０に保守命令の結果を送信できないことを通知しても良い。
【０１３０】
判定結果が送信可の場合（１０１５でYES）、保守管理装置１０は、保守結果を、保守実施装置３０に送信する（１０１６）。
【０１３１】
保守結果を受信した保守実施装置３０は、保守結果に基づいて動作する。
【０１３２】
次に、保守管理装置１０の詳細な動作について説明する。
【０１３３】
まず、保守管理装置１０が、保守対象装置２０から警報を受信し、保守実施装置３０に警報を送信するまでの動作について説明する。
【０１３４】
図７は、保守管理装置１０が、保守対象装置２０から警報を受信し、保守実施装置３０に警報を送信するまでの動作の一例を示すフローチャートである。
【０１３５】
なお、保守ＩＦ部１５０は、初期状態として停止状態をする。
【０１３６】
保守方針制御部１１０の警報受信部１１１が、保守対象装置２０から警報を受信する（ステップ２００１）。警報受信部１１１は、保守方針判定部１１２に警報を送信する。
【０１３７】
保守方針判定部１１２は、保守方針保存部１１６に保存した保守方針を確認し、受信した警報に対する動作を選択する（ステップ２００２）。
【０１３８】
ここで、保守方針は、例えば、警報が所定の範囲に含まれるか否かを基に、警報の送信を判定するとしても良い。ただし、本実施形態の説明では安全性を向上するため、保守方針は、保守承認装置４０の判定結果が送信可の場合、保守実施装置３０に送信して保守を開始するとして、説明を続ける。また、保守ＩＦ部１５０についての保守方針は、一例として、警報送信時に起動とする。
【０１３９】
保守方針判定部１１２は、警報を保守承認装置４０に送信する（ステップ２００３）。
【０１４０】
保守方針判定部１１２は、保守承認装置４０から判定結果を受信し、送信可か送信不可かを判定する（ステップ２００４）。
【０１４１】
送信不可の場合（ステップ２００４でNO）、保守管理装置１０は、処理を終了する。
【０１４２】
送信可の場合（ステップ２００４でYES）、保守方針判定部１１２は、保守方針を基に、接続指示部１１３に、保守ＩＦ部１５０の起動を指示する。指示を受信した接続指示部１１３は、接続制御部１３０に、保守ＩＦ部１５０の起動を指示する。接続制御部１３０は、保守ＩＦ部１５０を起動する。つまり、保守管理装置１０は、保守実施装置３０との通信経路を起動し、保守実施装置３０との接続を確保する（ステップ２００５）。
【０１４３】
保守ＩＦ部１５０を起動して保守実施装置３０と接続が確保されると、保守方針判定部１１２は、保守対象装置２０から受信した警報を、保守実施装置３０に送信する（ステップ２００６）。
【０１４４】
警報を送信後、保守方針判定部１１２は、保守に関する情報（例えば、警報、警報を受信した時刻、保守ＩＦ部１５０の起動時刻、及び、警報を送信した保守実施装置３０に関する情報）を保守情報保存部１１７に保存する（ステップ２００７）。
【０１４５】
なお、保守管理装置１０は、送信不可の場合（ステップ２００４でNO）、ステップ２００７進み、送信不可と判定された警報を、保守に関する情報として保守情報保存部１１７に保存しても良い。
【０１４６】
なお、ステップ２００５において、接続制御部１３０は、例えば、次のように動作する。
【０１４７】
接続制御部１３０の接続指示受信部１３１は、保守方針制御部１１０からの保守ＩＦ部１５０の起動の指示を受信する。接続指示受信部１３１は、保守ＩＦ制御部１３２に指示を送信する。保守ＩＦ部１５０の起動の指示を受信した保守ＩＦ制御部１３２は、保守ＩＦ部１５０を起動する。保守ＩＦ部１５０の起動後、接続指示受信部１３１は、起動完了を保守方針制御部１１０に返す。
【０１４８】
次に、保守管理装置１０が、保守実施装置３０から保守命令を受信し、保守対象装置２０に送信するまでの動作について説明する。
【０１４９】
図８は、保守管理装置１０が、保守実施装置３０から保守命令を受信し、保守対象装置２０に送信するまでの動作の一例を示すフローチャートである。
【０１５０】
保守命令制御部１２０の保守命令受信部１２１が、保守実施装置３０から保守命令を受信する（ステップ３００１）。
【０１５１】
保守命令受信部１２１は、受信した保守命令を、保守命令判定部１２２に送信する。保守命令判定部１２２は、保守命令保存部１２６の保守命令判定情報を基に、保守命令に対する動作を選択する（ステップ３００２）。
【０１５２】
ここで、保守命令判定部１２２は、保守命令判定情報を基に、保守対象装置２０への保守命令の送信の可否を判定しても良い。ただし、本実施形態の説明では、安全性を向上するため、保守命令判定部１２２は、保守命令の保守承認装置４０の判定結果が送信可の場合に、保守対象装置２０に送信するとして、説明する。
【０１５３】
保守命令判定部１２２は、保守命令を保守承認装置４０に送信する（ステップ３００３）。
【０１５４】
保守命令判定部１２２は、保守承認装置４０から判定結果を受信し、送信可か送信不可かを判定する（ステップ３００４）。
【０１５５】
送信不可の場合（ステップ３００４でNO）、保守管理装置１０は、処理を終了する。
【０１５６】
送信可の場合（ステップ３００４でYES）、保守命令判定部１２２は、保守命令を保守命令送信部１２３に送信する。保守命令を受信した保守命令送信部１２３は、保守命令を保守対象装置２０に送信する（ステップ３００５）。
【０１５７】
保守命令を送信後、保守管理装置１０は、送信した保守命令に関する情報を保存する（ステップ３００７）。保守命令に関する情報は、例えば、保守命令や保守命令を保守対象装置２０の送った時刻である。なお、本実施形態の保守管理装置１０が保守命令に関する情報を保存する構成は、特に限られない。例えば、保守管理装置１０は、保守情報保存部１１７に、保守命令に関する情報を保存する領域を設け、保存しても良い。
【０１５８】
なお、保守管理装置１０は、送信不可の場合（ステップ３００４でNO）、ステップ３００７進み、送信不可の保守命令を、保守命令に関する情報として保存しても良い。
【０１５９】
次に、保守管理装置１０が、保守対象装置２０から保守結果を受信し、保守実施装置３０に送信するまでの動作について説明する。
【０１６０】
図９は、保守管理装置１０が、保守対象装置２０から保守結果を受信し、保守実施装置３０に送信するまでの動作の一例を示すフローチャートである。
【０１６１】
保守命令制御部１２０の命令結果処理部１２４が、保守対象装置２０から保守結果を受信する（ステップ４００１）。
【０１６２】
命令結果処理部１２４は、受信した保守命令に対して、保守命令判定部１２２が選択した保守命令に対する動作と同様に動作するとして、説明を続ける。そのため、ここでは、保守結果の保守承認装置４０での判定結果が送信可の場合、命令結果処理部１２４は、保守結果を保守実施装置３０に送信するとして、説明する。
【０１６３】
命令結果処理部１２４は、保守結果を保守承認装置４０に送信する（ステップ４００３）。
【０１６４】
命令結果処理部１２４は、保守承認装置４０から判定結果を受信し、送信可か送信不可かを判定する（ステップ４００４）。
【０１６５】
送信不可の場合（ステップ４００４でNO）、保守管理装置１０は、処理を終了する。
【０１６６】
送信可の場合（ステップ４００４でYES）、命令結果処理部１２４は、保守結果を保守実施装置３０に送信する（ステップ４００５）。
【０１６７】
保守結果を送信後、保守管理装置１０は、送信した保守結果に関する情報を保存する（ステップ４００７）。保守結果に関する情報は、例えば、保守結果や保守結果を受信した時刻である。なお、本実施形態の保守管理装置１０が保守結果を保存する構成は、特に限られないが、保守命令と関連付けて保存することが望ましい。例えば、保守情報保存部１１７に保守命令を保存する場合、保守管理装置１０は、保守結果も保守情報保存部１１７に保存することが望ましい。
【０１６８】
なお、保守管理装置１０は、送信不可の場合（ステップ４００４でNO）、ステップ４００７進み、送信不可の保守結果を、保守結果に関する情報として保存しても良い。
【０１６９】
このように動作する第１の実施形態に係る保守管理装置１０は、データの記憶位置及び装置の接続位置に基づかず、且つ、全ての送信データのための判定データを用意しなくても、保守実施装置３０を用いた保守を管理できる。
【０１７０】
その理由は、次のとおりである。
【０１７１】
保守管理装置１０は、保守対象装置２０から受信した警報の動作を保守方針に基づいて判定する。警報は、保守対象装置２０のデータの記憶位置及び物理的な接続位置に依存しない情報である。つまり、保守管理装置１０は、保守対象装置２０のデータの記憶位置及び接続位置に基づかず、判定できるためである。
【０１７２】
同様に、保守管理装置１０は、保守命令判定情報を基に保守実施装置３０から受信した保守命令の動作を判定する。保守命令は、保守実施装置３０のデータの記憶位置及び物理的な接続位置に依存しない。つまり、保守管理装置１０は、保守実施装置３０のデータの記憶位置及び接続位置に基づかず、判定できるためである。
【０１７３】
また、保守管理装置１０は、保守方針又は保守命令判定情報を基に判定する。さらに、保守管理装置１０は、保守承認装置４０の判定結果を利用できる。そのため、保守管理装置１０は、装置内に保存する情報として、保守方針と保守命令判定情報を保存すればよく、保守の動作においてやり取りされる全ての情報（データ）に対応する判定情報を保存する必要がないためである。
【０１７４】
また、保守管理装置１０は、保守実施装置３０からの不正な保守命令を保守対象装置２０に送信しない効果を得ることができる。
【０１７５】
その理由は、次のとおりである。
【０１７６】
保守管理装置１０は、保守対象装置２０から受信した警報を、保守承認装置４０の判定結果を基に、保守実施装置３０への送信の可否を判定できる。つまり、保守管理装置１０は、保守承認装置４０の判定結果を用いて、不正な保守実施装置３０との接続を避けることができるためである。
【０１７７】
さらに、保守管理装置１０は、保守実施装置３０から受信した保守命令を、保守承認装置４０の判定結果を用いて、保守対象装置２０への送信の可否を判定できる。つまり、保守管理装置１０は、保守承認装置４０の判定結果を用いて、不正な保守命令の保守対象装置２０への送信を避けることができるためである。
【０１７８】
また、保守管理装置１０は、不必要な保守結果を保守実施装置３０に送らない効果を得ることができる。
【０１７９】
その理由は、保守管理装置１０は、保守対象装置２０から受信した保守結果を、保守承認装置４０の判定結果を用いて、保守実施装置３０への送信の可否を判定できる。つまり、保守管理装置１０は、不必要な保守結果を保守実施装置３０への送信を避けることができるためである。
【０１８０】
なお、本実施形態の保守管理装置１０の構成は、これまでの説明に限らない。保守管理装置１０は、複数の構成を１つの構成としても良い。例えば、保守管理装置１０は、保守方針保存部１１６と保守情報保存部１１７とを１つの記憶装置で構成してもよい。さらに、保守管理装置１０は、保守方針保存部１１６と、保守情報保存部１１７と、保守命令保存部１２６とを１つの記憶装置で構成してもよい。
【０１８１】
また、保守管理装置１０がルータのように通信パケットの内容に基づいて接続先を切り替える装置に接続する場合、保守管理装置１０は、対象ＩＦ部１４０と、保守ＩＦ部１５０と、承認ＩＦ部１６０とのいずれか２つ又は全部を１つのＮＩＣ（Network Interface Card 又は Circuit）で構成してもよい。
【０１８２】
あるいは、保守管理装置１０は、１つの構成を複数の構成に分けても良い。例えば、保守管理装置１０は、保守方針判定部１１２を、ＣＰＵ（Central Processing Unit）と、ＲＯＭ（Read Only Memory）と、ＲＡＭ（Random Access Memory）とを含むコンピュータと記憶装置とで実現しても良い。
【０１８３】
図１０は、本実施形態の別の構成である保守管理装置６０の構成の一例を示す図である。
【０１８４】
保守管理装置６０は、ＣＰＵ６１０と、ＲＯＭ６２０と、ＲＡＭ６３０と、ＩＯ（Input/Output）６４０と、内部記憶装置６５０と、キーボード６６０と、マウス６７０と、ディスプレイ６８０と、ＮＩＣ６９０と、ＮＩＣ７００と、ＮＩＣ７１０とを含み、コンピュータを構成している。
【０１８５】
ＣＰＵ６１０は、ＲＯＭ６２０、又は、ＩＯ６４０を介して内部記憶装置６５０からプログラムを読み込む。そして、ＣＰＵ６１０は、読み込んだプログラムに基づいて、既に説明した本実施形態の保守管理装置１０の各機能を実現する。ＣＰＵ６１０は、各機能を実現する際に、ＲＡＭ６３０及び内部記憶装置６５０を一時記憶として使用する。また、ＣＰＵ６１０は、保守方針保存部１１６、保守情報保存部１１７、及び、保守命令保存部１２６として内部記憶装置６５０を用いる。また、ＣＰＵ６１０は、対象ＩＦ部１４０としてＮＩＣ６９０を、保守ＩＦ部１５０としてＮＩＣ７００を、承認ＩＦ部１６０としてＮＩＣ７１０を用いる。さらに、ＣＰＵ６１０は、ＩＯ６４０を介して、キーボード６６０及びマウス６７０から入力データを受信し、ディスプレイ６８０に表示データを表示する。
【０１８６】
なお、ＣＰＵ６１０は、コンピュータで読み取り可能なプログラムを記憶した記憶媒体７２０が含むプログラムを、図示しない記憶媒体読み取り装置を用いて読み込んでも良い。あるいは、ＣＰＵ６１０は、ＮＩＣ６９０、ＮＩＣ７００、又は、ＮＩＣ７１０のいずれかを介して図示しないネットワークに接続された外部記憶装置からプログラムを読み込んでも良い。
【０１８７】
ＲＯＭ６２０は、ＣＰＵ６１０が実行するプログラム、及び、固定的なデータを記憶する。ＲＯＭ６２０は、例えば、Ｐ−ＲＯＭ(Programmable-ROM）やフラッシュＲＯＭである。
【０１８８】
ＲＡＭ６３０は、ＣＰＵ６１０が実行するプログラムやデータを一時的に記憶する。ＲＡＭ６３０は、例えば、Ｄ−ＲＡＭ（Dynamic-RAM）である。
【０１８９】
ＣＰＵ６１０、ＲＯＭ６２０、及び、ＲＡＭ６３０を含めて「処理部」と言うこともある。
【０１９０】
ＩＯ６４０は、内部記憶装置６５０やキーボード６６０などとＣＰＵ６１０とのデータを仲介する。ＩＯ６４０は、例えば、ＩＯインターフェースカードである。
【０１９１】
内部記憶装置６５０は、保守管理装置６０の長期的に保存するデータやプログラムを保存する。また、内部記憶装置６５０は、保守管理装置１０の保守方針保存部１１６、保守情報保存部１１７、及び、保守命令保存部１２６として動作する。さらに、内部記憶装置６５０は、ＣＰＵ６１０の一時記憶装置として動作しても良い。内部記憶装置６５０は、例えば、ハードディスク装置、光磁気ディスク装置、ＳＳＤ、又は、ディスクアレイ装置である。
【０１９２】
キーボード６６０及びマウス６７０は、保守管理装置６０の操作者からの入力指示を受信する入力部である。キーボード６６０及びマウス６７０は、受信した入力指示のデータをＣＰＵ６１０に送信する。
【０１９３】
ディスプレイ６８０は、保守管理装置６０の表示部である。ＣＰＵ６１０は、操作者に必要な情報を、ディスプレイ６８０に表示する。
【０１９４】
ＮＩＣ６９０は、対象ＩＦ部１４０として動作し、保守管理装置６０と保守対象装置２０との接続を中継する。
【０１９５】
ＮＩＣ７００は、保守ＩＦ部１５０として動作し、保守管理装置６０と保守実施装置３０との接続を中継する。
【０１９６】
ＮＩＣ７１０は、承認ＩＦ部１６０として動作し、保守管理装置６０と保守承認装置４０との接続を中継する。
【０１９７】
ＮＩＣ６９０、ＮＩＣ７００、及び、ＮＩＣ７１０は、例えば、ＬＡＮカードである。
【０１９８】
このように構成された保守管理装置６０は、保守管理装置１０と同様の効果を得ることができる。
【０１９９】
その理由は、保守管理装置６０のＣＰＵ６１０が、プログラムに基づいて保守管理装置１０と同様の動作を実現できるためである。
【０２００】
なお、本実施形態の保守管理装置１０は、保守ＩＦ部１５０を起動した状態でも動作可能である。この場合、保守管理装置１０は、接続制御部１３０を省略できる。また、ブレードサーバのように内部バスを介して装置が接続するシステムがある。このようなシステムの保守管理装置１０は、各ＩＦ部が内部バスとなる。
【０２０１】
図１１は、このような場合の保守管理装置１０の構成の一例を示す図である。
【０２０２】
図１１に示す保守管理装置１０は、図２の保守管理装置１０から、接続制御部１３０と、対象ＩＦ部１４０と、保守ＩＦ部１５０と、承認ＩＦ部１６０とを省略した。
【０２０３】
図１１に示す保守管理装置１０は、図２に示す保守管理装置１０と同様の効果を得ることができる。
【０２０４】
その理由は、図１１示す保守管理装置１０は、図２に示す保守管理装置１０と同様に、保守方針と保守命令判定情報とを基に、保守承認装置４０の判定結果を用いて、各情報（警報、保守命令、及び、保守結果）の送信の可否を判定できるためである。
【０２０５】
なお、図１１に示す保守管理装置１０は、本実施形態の最小構成である。
【０２０６】
次に、本実施形態の変形例について説明する。
【０２０７】
（変形例１）
図６乃至図９を用いて説明した動作において、保守管理装置１０は、保守実施装置３０及び保守対象装置２０に送信する情報（警報、保守命令、保守結果）の全てに対し保守承認装置４０の判定結果を用いた。しかし、本実施形態の保守管理装置１０は、これに限られるわけではない。保守管理装置１０は、警報、保守命令、又は、保守結果のいずれか１つ、又は、２つにおいて判定結果を用いても良い。例えば、保守管理装置１０は、警報を送信する際に判定結果を用い、それ以降の保守命令及び保守結果の送信では送信可否の判定を省略してもよい。
【０２０８】
保守管理装置１０は、保守方針及び保守命令判定情報に基づいて、このような保守承認装置４０の判定結果の使用を切り換えることができる。例えば、上記の場合、保守管理装置１０は、警報に対しては判定結果を必要とする保守方針と、保守命令と保守結果については判定結果を不要とする保守命令判定情報を保持すれば良い。
【０２０９】
あるいは、保守対象装置２０への不正なアクセスは、保守命令を用いて行われる。
【０２１０】
そこで、保守管理装置１０は、警報（及び保守結果）については、判定結果を用いずに保守実施装置３０の送信し、保守実施装置３０からの保守命令については、保守承認装置４０の判定結果を用いて送信の可否を判定しても良い。
【０２１１】
この場合、保守方針は判定結果の不要が設定され、保守命令判定情報は判定結果の必要が設定される。さらに、命令結果処理部１２４は、判定結果の不要を条件として記憶すればよい。
【０２１２】
（変形例２）
インターネットやＷＡＮのような外部のネットワークを介した情報処理システムのネットワークは、不通となる場合がある。そのため、ＷＡＮを介して保守承認装置４０を接続した保守管理装置１０は、ネットワークの不通など判定結果を受信できない場合がある。
【０２１３】
そこで、保守承認装置４０に判定を依頼してから所定の時間を経過しても判定結果を受信できない場合、保守管理装置１０は、判定結果を用いずに、各情報（警報、保守命令、又は、保守結果）を送信しても良い。
【０２１４】
この変形例の保守管理装置１０は、保守方針又は保守命令判定情報が所定の時間を経過した場合の動作（この場合、例えば、「所定の時間経過後に送信する」）を含めばよい。
【０２１５】
このように構成された変形例１及び変形例２の保守管理装置１０は、第１の実施形態の保守管理装置１０と同様の効果を得ることができる。
【０２１６】
その理由は、変形例１及び変形例２の保守管理装置１０は、第１の実施形態の保守管理装置１０と同様に、保守方針及び保守命令判定情報を基に送信の可否を判定できるためである。
【０２１７】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０２１８】
１    保守システム
１０    保守管理装置
２０    保守対象装置
３０    保守実施装置
４０    保守承認装置
６０    保守管理装置
９１    保守システム
１１０    保守方針制御部
１１１    警報受信部
１１２    保守方針判定部
１１３    接続指示部
１１６    保守方針保存部
１１７    保守情報保存部
１２０    保守命令制御部
１２１    保守命令受信部
１２２    保守命令判定部
１２３    保守命令送信部
１２４    命令結果処理部
１２６    保守命令保存部
１３０    接続制御部
１３１    接続指示受信部
１３２    保守ＩＦ制御部
１４０    対象ＩＦ部
１５０    保守ＩＦ部
１６０    承認ＩＦ部
６１０    ＣＰＵ
６２０    ＲＯＭ
６３０    ＲＡＭ
６４０    ＩＯ
６５０    内部記憶装置
６６０    キーボード
６７０    マウス
６８０    ディスプレイ
６９０    ＮＩＣ
７００    ＮＩＣ
７１０    ＮＩＣ
７２０    記憶媒体
９１１    保守管理装置
９１２    保守対象装置
９１３    保守実施装置
９１４    対象ＩＦ部
９１５    保守ＩＦ部
【図１】
0005948939.tif 000002
【図２】
0005948939.tif 000003
【図３】
0005948939.tif 000004
【図４】
0005948939.tif 000005
【図５】
0005948939.tif 000006
【図６】
0005948939.tif 000007
【図７】
0005948939.tif 000008
【図８】
0005948939.tif 000009
【図９】
0005948939.tif 000010
【図１０】
0005948939.tif 000011
【図１１】
0005948939.tif 000012
【図１２】
0005948939.tif 000013